(57)【要約】  【課題】スクリーン面が硬いイメージを与える従来のスクリーンとは異なった趣のスクリーンを提供する。  【解決手段】起立した支持体１を覆うように張材２を設け、その張材２の下端部にウェイト３を吊り下げるように取り付けて張材２にテンションを与えるようにしたものである。このように、張材２の下端部がウェイト３で引張られるだけで固定されないため、浮遊感のある柔らかい印象を醸し出すことができる。  【選択図】図１
2008119215.tif 000002
【特許請求の範囲】
【請求項１】
起立した支持体を覆うように張材を設け、その張材の下端部にウェイトを吊り下げるように取り付けて張材にテンションを与えるようにしたことを特徴とするスクリーン。
【請求項２】
ウェイトが張材に吊り下げられた状態で支持体との干渉を避ける形状をなし、その形状に基づいてスクリーン面が形づくられている請求項１記載のスクリーン。
【請求項３】
張材が取付状態で下端側に開口部を有する袋状のものであり、この張材を支持体に被せることによってスクリーン面を形成するようにしている請求項１又は２記載のスクリーン。
【請求項４】
支持体が支柱の上端に直線状に延びる支持部を有したものであり、一対のウェイトが支柱を包囲するように膨らむ形状をなす請求項３記載のスクリーン。
【請求項５】
支持体が支柱の上端に平面方向に広がりをもつ支持部を有したものであり、張材が立体的に縫製されて、ウェイトが張材の下端部に支柱の周囲を囲むように配置される請求項３記載のスクリーン。
【請求項６】
スクリーン面の幅方向縁部には支持体の支持部を配置せずに張材のみによって当該縁部を構成している請求項１〜５記載のスクリーン。
【請求項７】
支持体がベース部材を介して床に設置される自立可能で移動性を有したものであり、ベース部材の全部又は一部が張材によって隠蔽されるようにしている請求項１〜６記載のスクリーン。
【請求項８】
起立した支持体を覆うように張材を被せ、その際に支持体の形態および張材の形態を異ならせて複数のスクリーンを構成し、これらのスクリーンを組み合わせてスクリーン面を展開するようにしたことを特徴とするスクリーンユニット。
【請求項９】
表裏２面を有する平面スクリーンと、３面以上を有する立体スクリーンとを組み合わせて使用するようにしている請求項８記載のスクリーンユニット。
【請求項１０】
支持体がベース部材を介して床に設置される自立可能で移動性を有したものであり、ベース部材の全部又は一部が張材によって隠蔽されるようにしている請求項８又は９記載のスクリーンユニット。
【発明の詳細な説明】
【技術分野】
【０００１】
本発明は、簡易に構成できて柔らかい印象を醸し出すことができるようにしたスクリーンに関するものである。
【背景技術】
【０００２】
この種のスクリーンとして、例えば特許文献１等に示すものが知られている。このものは、ベースから立設された１本の支柱の上下に、互いが対向する横フレームの長手方向の重心位置近傍が各々取り付けられているとともに、両横フレームに、スクリーンの上下端縁が各々取り付けられ、これら両横フレーム間にスクリーンを上下にテンションをかけて張設することによりスクリーンパネルを構成している。
【特許文献１】特開２００４−１５９６７４号公報
【発明の開示】
【発明が解決しようとする課題】
【０００３】
ところが、かかる構造であると、上下の横フレームでスクリーンの上下端縁を掴んでテンションを掛けるため、スクリーン面が強く張られて硬い印象を与えるものとなる。
【０００４】
また、横フレームはスクリーンを掴めるように押出し成型による複雑な形状をなしており、一定以上の簡略化やコストダウンを図ることは難しい。
【０００５】
さらに、居住空間の中央に衝立のように配置して空間を仕切り両側をスクリーン面として利用するには、支柱や横フレームが邪魔となって実質上片面使いの機能に止どまる。
【０００６】
さらにまた、スクリーン面は何れの横断面においても上下の横フレームに合致した形状をなすに過ぎず、変化にも乏しいものである。
【０００７】
本発明は、このような課題に着目してなされたものであって、極めて簡素かつ安価に構成できて、これらをことごとく解消するとともに、様々な空間の演出に好適に利用できるようにした、新規有用なスクリーン及びスクリーンユニットを実現することを目的としている。
【課題を解決するための手段】
【０００８】
本発明は、かかる目的を達成するために、次のような手段を講じたものである。
【０００９】
すなわち、本発明のスクリーンは、起立した支持体を覆うように張材を設け、その張材の下端部にウェイトを吊り下げるように取り付けて張材にテンションを与えるようにしたことを特徴とする。
【００１０】
このように構成すると、張材の下端部がウェイトで引張られるだけで固定されないため、たゆたむような浮遊感を醸し出すことができる。そして、これと相俟って、張材の縁部を掴む構造にせずにウェイトによってスクリーン面に張りをもたせる程度の緊張状態にすることで、スクリーン面を柔らかい印象を与えるものにすることができ、支持体の構造も簡素にすることができる。さらに、支持体及び張材の形状次第で、平面スクリーンも立体スクリーンも構成することができるなど、その形態にも多様なアレンジが可能となる。
【００１１】
張材が揺れてもウェイトと支持体との接触を防止し、同時にスクリーン面の形成にも資するためには、ウェイトが張材に吊り下げられた状態で支持体との干渉を避ける形状をなし、その形状に基づいてスクリーン面が形づくられていることが好ましい。
【００１２】
張材の取り付けを簡便にし、両面使いで使用できる等の利便性を得るためには、張材が取付状態で下端側に開口部を有する袋状をなし、この張材を支持体に被せることによってスクリーン面を形成するようにしていることが望ましい。
【００１３】
従来とは趣きの異なる平面スクリーンを構成するためには、支持体が支柱の上端に直線状に延びる支持部を有し、一対のウェイトが支柱を包囲するように膨らむ形状をなしているものが有効である。
【００１４】
また、上記の構成を発展させて立体スクリーンを構成するためには、支持体が支柱の上端に平面方向に広がりをもつ支持部を有し、張材が立体的に縫製されて、ウェイトが張材の下端部に支柱の周囲を囲むように配置されるようにしているものが有効である。
【００１５】
スクリーン面をさらに柔らかい印象のものにするためには、スクリーン面の幅方向縁部に支持体の支持部を配置せずに張材のみによって当該縁部を構成していることが望ましい。
【００１６】
スクリーンの足元を適切に処理しつつ、レイアウト変更等に有効に対応可能とするためには、支持体がベース部材を介して床に設置される自立可能で移動性を有したものであり、ベース部材の全部又は一部が張材によって隠蔽されるようにしておくことが好ましい。
【００１７】
スクリーン面の有効な展開を図るためには、起立した支持体を覆うように張材を被せ、その際に支持体の形態および張材の形態を異ならせて複数のスクリーンを構成し、これらのスクリーンを組み合わせてスクリーン面を展開できるようなスクリーンユニットとすることが便利である。
【００１８】
その際、多種多様な空間創造に利用できるようにするためには、表裏２面を有する平面スクリーンと、３面以上を有する立体スクリーンとを組み合わせて使用することが望ましい。
【００１９】
この場合にも、外観を損なわずに自在性を確保するためには、支持体がベース部材を介して床に設置される自立可能で移動性を有したものであり、ベース部材の全部又は一部が張材によって隠蔽されるようにしておくことが有効となる。
【発明の効果】
【００２０】
本発明は、以上説明した構成であるから、構造が比較的複雑でコストが掛かりスクリーン面からも硬い印象を受けていた従来のスクリーンのイメージとは全く異なるものとして、簡単且つ安価に構成できてスクリーン面から浮遊感のある柔らかい印象を与えることのできる全く新しいイメージのスクリーンを有効に提供することが可能となる。
【発明を実施するための最良の形態】
【００２１】
以下、本発明の一実施形態を、図面を参照して説明する。
【００２２】
この実施形態は、図１及び図２に示すように、起立した支持体１を覆うように張材２を被せ、その張材２の下端部にウェイト３を吊り下げるように取り付けて張材２にテンションを与え、平面スクリーンＡを形成したものである。
【００２３】
具体的に説明すると、支持体１は、ベース１１から支柱１２を立ち上げ、その支柱１２の上端に支持部となる横フレーム１３の中央部を水平に取り付けてなるもので、自立可能であって移動性を有する。
【００２４】
一方、張材２は、矩形状のメッシュ地からなるカーテン素材を中央で折り返し、左右の側縁２ａを袋状に縫製して、これを裏返したものである。カーテン素材の幅寸法は前記横フレーム１３の長手寸法にほぼ対応している。さらに、かかる張材２の開口端には、ウェイト３を挿し通せるような挿入部２ｂが縫製してあり、この挿入部２ｂの少なくとも一方の端部２ｂ１側は開口している。
【００２５】
他方、ウェイト３は、線条体を弓状に湾曲させたもので、線条体の素材や径を選択することによって、ウェイト３として適宜の重さを与えるようにしている。
【００２６】
そして、一対のウェイト３を張材２の表裏の挿入部２ｂに端部２ｂ１から差し込んで、支柱１２を両側から包囲するように外側に膨らんだ状態に保持することによって、ウェイト３と支柱１２との干渉を回避しつつ、従来とは異なる趣向の平面スクリーンＡを構成するようにしている。
【００２７】
すなわち、この実施形態のスクリーンＡは、起立した支持体１を覆うように張材２を被せ、その張材２の下端部にウェイト３を吊り下げるように取り付けて張材２にテンションを与えるようにしたものである。このように、張材２の下端部がウェイト３で引張られるだけで固定されないため、たゆたむような浮遊感を醸し出すことができる。そして、これと相俟って、張材２の縁部を掴む構造にせずにウェイト３によってスクリーン面２ｘにある程度の張りをもたせる程度にすれば、スクリーン面２ｘを柔らかい印象を与えるものにすることができ、支持体１を構成する横フレーム１３も単なるパイプ部材のみの簡素な構造にすることができる。さらに、支持体１及び張材２の形状次第で、図示のような平面スクリーンＡは勿論のこと、立体スクリーン（後述する）も構成することができるなど、スクリーンの形態にも多様なアレンジが可能となる。
【００２８】
また、ウェイト３が張材２に吊り下げられた状態で支持体１との干渉を避ける形状をなし、その形状に基づいてスクリーン面２ｘが形づくられるので、ウェイト３が揺れた際に支持体１と接触して異音を発することを有効に防止することができ、かつウェイト３の形状に基づいて、スクリーン面２ｘに単なる平面ではない立体的な形状を付与することができる。
【００２９】
さらに、張材２が取付状態で下端側に開口部を有する袋状のものであり、この張材２を支持体１に被せることによってスクリーン面２ｘを形成するようにしているので、支持体１に被せるだけで張材２を脱落し得ないように取り付けることができ、しかも、支持体１が張材２によって隠蔽されるので、オフィスやホール等に設置した場合にこのスクリーンＡを両面使いで使用することができる。
【００３０】
具体的には、支持体１が支柱１２の上端に直線状に延びる支持部である横フレーム１３を有したものであり、一対のウェイト３が支柱１２を包囲するように膨らむ形状をなしているので、ウェイト３と支柱１２との接触を防止できると同時に、表裏のスクリーン面２ｘに、横フレーム１３からウェイト３に向かって漸次横断面が直線から弓状に変化する異形な立面からなるスクリーン面２ｘを形成することができる。
【００３１】
さらに、横フレーム１３をウェイト３とは平面視異なる湾曲形状にするなど、支持体１に種々の形状を施し、これに対応する張材２を被せれば、多様な形態のスクリーン面２ｘを構成することも可能となる。
【００３２】
そして、スクリーン面２ｘの幅方向縁部２ａは、支持体１の支持部を配置せずに張材２のみによって当該縁部２ａを構成するようにしているので、張材２の下縁が固定されていないこととも相俟って、スクリーン面２ｘに柔らかい印象を与えることができ、従来のような枠構造の場合とは異なり体が触れた場合の接触感を通じてもその柔らかさを体感することができる。
【００３３】
また、支持体１がベース部材１１を介して床に設置される自立可能で移動性を有したものであり、そのベース部材１１の全部又は一部が張材２の膨らみによって隠蔽されるようにしているので、足元の見栄えを良好にしつつ、レイアウト変更等に有効に対応することができる。
【００３４】
次に、図３〜図６に、本発明のスクリーンを立体スクリーンＢ、Ｃに発展させた例を示す。
【００３５】
これらの立体スクリーンＢ、Ｃは、支持体１０１、２０１が支柱１１２、２１２の上端に平面方向に広がりをもつ支持部１１３、２１３を有したものであり、張材１０２，２０２がその支持部１１３，２１３を包絡するような立体的な形状に縫製されて、ウェイト１０３，２０３が張材１０２，２０２の下端部に支柱１１２，２１２の周囲を囲むように配置されている。
【００３６】
支持部１０１、２０１は、ベース部材１１１、２１１より起立させた支柱１１２、２１２の上端にスター状或いは十字状に支持部たる横フレーム１１３、２１３を平面的広がりをもって放射状に延出させたもので、支持部１０１に対しては張材１０２を三角柱状となるように縫製して被せ、支持部２０１に対しては張材２０２を四角柱状となるように縫製して被せたものである。そして、張材１０２、２０２のうち柱状体の各側面となる部位の下縁にウェイト１０３、２０３を挿し通す挿入部（図示せず）を設けている。ウェイト１０３、２０３には弓状に撓った線条体が用いられ、外に向かって凹となるように挿入部に挿し通して配置される。
【００３７】
このように構成しても、スクリーン面１０２ｘ、２０２ｘを浮遊感があって柔らかい印象を受ける面に仕上げることができて、ウェイト１０３、２０３と支柱１１２、２１２との接触を防止できると同時に、支柱１１２、２１２の周囲三方あるいは四方にスクリーン面１０２ｘ、２０２ｘを形成することができるため、基本的構造を上記平面スクリーンＡと同じくしながら、衝立の機能をかかる平面スクリーンＡから新しい立体スクリーンＢ，Ｃに有効に拡張、展開することができる。この場合、ウェイト１０３、２０３は支柱１１２、２１２の周囲に配置されることから、直線状であっても上記のように支柱１１２、２１２に近づく方向に湾曲させても支柱１１２、２１２と干渉することはないので、スクリーン面１０２ｘ、２０２ｘの造形に係る自由度はより高いものになる。
【００３８】
そして、これらのスクリーンＡ、Ｂ、Ｃ等を更に組み合わせれば、スクリーン面を多種多様に展開することが可能になる。
【００３９】
例えば、図７は三角柱状の立体スクリーンＢをコアにしてその三方に放射状に平面スクリーンＡを連ねたものであり、図８は四角柱状の立体スクリーンＣをコアにしてその四方に平面スクリーンＡを連ねたものであり、これ以外にもレイアウトを種々に試みつつ空間を効果的に創造することができる。
【００４０】
その際、上記スクリーンＡ〜Ｃは何れも、起立した支持体１、１０１、２０１を覆うように張材２、１０２、２０２を被せ、その際に支持体１、１０１、２０１の形態および張材２、１０２、２０２の形態を異ならせているだけであって、基本的構造を同じくするため、多くの仕様のスクリーンを追求し易いという利点を有する。しかも、スクリーン面２ｘ、１０２ｘ、２０２ｘが柔らかい印象を与え得る程度に張り設けた張材２で構成されている点でも共通しているため、意匠的な観点から見ても組み合わせに統一感があり、また隣接配置することでスクリーン面２ｘ、１０２ｘ、２０２ｘが渾然一体に連続することになって、連続性や拡張性にも富むものとなる。
【００４１】
特に、表裏２面を有する平面スクリーンＡと、３面以上を有する立体スクリーンＢ、Ｃとを組み合わせて使用することで、個々に衝立として機能させることができるのは勿論のこと、図７及び図８に示したような多種多様な空間創造に利用することができることは既述した通りである。
【００４２】
その際、支持体１、１０１、２０１がベース部材１１、１１１、２１１を介して床に設置される自立可能で移動性を有したものであり、ベース部材１１、１１１、２１１の全部又は一部が膨らみを有する張材２、１０２、２０２によって隠蔽されるので、足元の見栄えを良好な状態に保ちつつ、レイアウト変更等に必要な自立性及び移動性を有効に担保することができる。
【００４３】
なお、各部の具体的な構成は、上述した実施形態のみに限定されるものではなく、
本発明の趣旨を逸脱しない範囲で種々変形が可能である。
【００４４】
例えば、張材は必ずしも袋状にせずとも本発明の作用効果は奏し得る。具体的には、支持体が上記実施形態のように支柱の上部に横フレームによって平面的に広がる支持部を設けている場合等に、その横フレームに沿って張材の上縁を取り付け、必要に応じて横フレームの上方を別の張材で覆うようにすれば、袋状をなす張材に比べて取り付けの利便性は劣るものの、張材の縫製が格段に楽になり、かつ、それ以外は全て本発明と同等の作用効果を奏することができる。或いは、張材は必ずしも横フレームに沿わせずとも、横フレームの端部間にカーテンレール等の保持部材を設けて張材を取り付ければ、支持部全体に別異の形状を与えることも可能となる。
【図面の簡単な説明】
【００４５】
【図１】本発明の一実施形態に係る平面スクリーンを示す斜視図。
【図２】同スクリーンの組立前の状態を示す斜視図。
【図３】本発明の他の実施形態に係る立体スクリーンを示す模式的な斜視図。
【図４】同平面図。
【図５】本発明の更に他の実施形態に係る立体スクリーンを示す模式的な斜視図。
【図６】同平面図。
【図７】上記実施形態に係るスクリーンからなるスクリーンユニットを一組み合せ態様の下に示す模式的な平面図。
【図８】上記実施形態に係るスクリーンからなるスクリーンユニットを他の組み合せ態様の下に示す模式的な平面図。
【符号の説明】
【００４６】
１、１０１、２０１…支持体
２、１０２、２０２…張材
３、１０３、２０３…ウェイト
２ｘ、１０２ｘ、２０２ｘ…スクリーン面
１１、１１１、２１１…ベース部材
１２、１１２、２１２…支柱
１３、１１３、２１３…支持部（横フレーム）
【図１】
2008119215.tif 000003
【図２】
2008119215.tif 000004
【図３】
2008119215.tif 000005
【図４】
2008119215.tif 000006
【図５】
2008119215.tif 000007
【図６】
2008119215.tif 000008
【図７】
2008119215.tif 000009
【図８】
2008119215.tif 000010